(57)【要約】【課題】貼付ける位置がずれないように仮止めして正確に位置決めした状態で靴の後端部内面に貼付けることができる、取扱い性及び靴擦れ防止効果に優れた靴擦れ防止具を提供する。【解決手段】靴擦れ防止用の弾性パッド層２の裏面に粘着層３が形成され、この粘着層３が剥離紙４で被覆された靴擦れ防止具１であって、剥離紙４の適所、望ましくは中央部付近に切取り部４ａが形成された構成の靴擦れ防止具とする。切取り部４ａを切取って粘着層３を一部露出させ、靴の後端部内面に靴擦れ防止具１を仮止めして位置決めし、残りの剥離紙４を剥離して靴擦れ防止具１の弾性パッド２全体を靴の後端部裏面に貼付けて靴擦れを防止する。【選択図】図３
0003176139.tif 000002
【実用新案登録請求の範囲】
【請求項１】
靴擦れ防止用の弾性パッド層の裏面に粘着層が形成され、この粘着層が剥離紙で被覆された靴擦れ防止具であって、上記剥離紙の適所に切取り部が設けられていることを特徴とする靴擦れ防止具。
【請求項２】
上記切取り部が上記剥離紙の中央部付近に設けられていることを特徴とする請求項１に記載の靴擦れ防止具。
【請求項３】
上記剥離紙の中央部付近に２本の切取り線が間隔をあけて並設され、この２本の切取り線の間の領域が上記切取り部になっていることを特徴とする請求項２に記載の靴擦れ防止具。
【請求項４】
上記弾性パッド層の表面に柔軟な膨出部が形成されていることを特徴とする請求項１ないし請求項３のいずれかに記載の靴擦れ防止具。
【考案の詳細な説明】
【技術分野】
【０００１】
本考案は、靴に貼付けて使用する靴擦れ防止具に関し、更に詳しくは、貼付ける位置がずれないように仮止めして正確に貼付けることができる靴擦れ防止具に関する。
【背景技術】
【０００２】
従来より、足の踵等に貼付ける靴擦れ防止材として、粘着シートの粘着面に、柔軟なリングパッドとその内側の柔軟な弾性パッドを設けたもの（特許文献１）や、裏面中央部にパッドを貼着した粘着テープの表面に、偏平環状に形成した滑り片を接着したもの（特許文献２）などが提案されている。けれども、足の踵等に貼付ける靴擦れ防止材は、粘着シートや粘着テープによって皮膚がかぶれる心配がある。
【０００３】
これに対し、靴の後端部内面（踵と接する後端部内面）に貼付ける靴擦れ防止具として、弾性パッド層の裏面に粘着層を形成し、この粘着層を剥離紙で被覆したものが開発されている。
【０００４】
この靴擦れ防止具は、剥離紙を剥がして粘着層の粘着力で靴の後端部内面に貼付けられ、弾性パッド層によって足の踵の靴擦れを軽減、防止するものであるため、皮膚がかぶれる心配はないが、以下のような問題があった。
【先行技術文献】
【特許文献】
【０００５】
【特許文献１】特開２００２−８５４４６号公報
【特許文献２】特開２００２−３６９８３６号公報
【考案の概要】
【考案が解決しようとする課題】
【０００６】
即ち、上記の靴擦れ防止具は、剥離紙を剥がして靴の後端部内面に貼付けるとき、貼付ける位置がずれないように仮止めして正確に位置を決めることができないため、貼付ける位置がずれる場合が多く、位置ずれした状態で一度貼付けてしまうと、靴擦れ防止具を剥がして適正な位置に再度貼付けることが困難であった。この靴擦れ防止具は上記のように取扱い性が悪く、適正な位置に貼付けることが容易でないため、位置ずれによって満足な靴擦れ防止効果を発揮できない場合が多いという問題があった。
【０００７】
本考案は上記の問題に対処すべくなされたもので、その解決しようとする課題は、貼付ける位置がずれないように仮止めして正確に位置決めした状態で靴の後端部内面に貼付けることができる、取扱い性及び靴擦れ防止効果に優れた靴擦れ防止具を提供することにある。
【課題を解決するための手段】
【０００８】
上記課題を解決するため、本考案に係る靴擦れ防止具は、靴擦れ防止用の弾性パッド層の裏面に粘着層が形成され、この粘着層が剥離紙で被覆された靴擦れ防止具であって、上記剥離紙の適所に切取り部が形成されていることを特徴とするものである。
【０００９】
本考案の靴擦れ防止具においては、上記切取り部が上記剥離紙の中央部付近に設けられていることが好ましく、具体的には、上記剥離紙の中央部付近に２本の切取り線が間隔をあけて並設され、この２本の切取り線の間の領域が上記切取り部になっていることが好ましい。そして、上記弾性パッド層の表面に柔軟な膨出部が形成されているのも好ましい。
【考案の効果】
【００１０】
本考案の靴擦れ防止具のように剥離紙の適所に切取り部が形成されていると、靴の後端部内面に貼付ける際に、先ず、切取り部を切取って粘着層を一部露出させ、この粘着層の露出部分によって靴擦れ防止具を靴の後端部内面に仮止めして位置がずれないように正確に位置決めを行い、その状態で残りの剥離紙を剥がして靴擦れ防止具の弾性パッド層全体を粘着層の粘着力で脱落しないように靴の後端部内面に確実に貼付けることができる。このように、本考案の靴擦れ防止具は位置決めがし易く、取扱い性に優れ、貼付ける位置がずれることがないので、弾性パッド層によって靴擦れを効果的に防止することができる。
【００１１】
そして、上記切取り部が剥離紙の中央部付近に設けられていると、切取り部を切取って靴擦れ防止具を靴の後端部内面に仮止めする際に、左右のバランスを保って靴擦れ防止具の中央部付近を仮止めできるので、位置決めがし易くなる。
【００１２】
また、剥離紙の中央部付近に２本の切取り線が間隔をあけて並設され、この２本の切取り線の間の領域が上記切取り部になっていると、仮止めする際に２本の切取り線に沿って切取り部を簡単に切取ることができるので、取扱い性が一層向上する。
【００１３】
また、弾性パッド層の表面に柔軟な膨出部が形成されていると、この膨出部がスペーサの役目を果たして、足の踵と靴の後端部内面との直接的な擦れを防ぐため、優れた靴擦れ防止効果が発揮される。
【図面の簡単な説明】
【００１４】
【図１】本考案の一実施形態に係る靴擦れ防止具を示す正面図である。
【図２】同靴擦れ防止具の背面図である。
【図３】図１のＡ−Ａ線断面図である。
【図４】剥離紙の切取り部を切取った同断面図である。
【図５】同靴擦れ防止具の使用状態を示す斜視図である。
【考案を実施するための形態】
【００１５】
以下、図面を参照して本考案に係る靴擦れ防止具の実施形態を説明する。但し、本考案はかかる実施形態のみに限定されるものではない。
【００１６】
この実施形態の靴擦れ防止具１は、図３に示すように、靴擦れ防止用の弾性パッド層２の裏面に粘着層３が形成され、この粘着層３が剥離紙４で被覆された三層積層構造の防止具であって、図１に示すように、靴擦れ防止具１の左右両側端１ａ，１ａが円弧状に形成され、かつ、中央部付近１ｄの上下方向の幅が狭くなるように下端１ｂが上端１ｃ側に凹入した横長の正面形状を有している。
【００１７】
靴擦れ防止用の弾性パッド層２は、柔軟でクッション性に優れた樹脂発泡体やゴム発泡体や樹脂繊維集合体などからなる層であって、図１、図３に示すように、弾性パッド層２の左右両側縁部２ａ、２ａ、上縁部２ｃ、下縁部２ｂ、及び、中央部付近２ｄは、エンボス加工により圧縮されて薄肉化されており、圧縮されない左右の領域が柔軟なクッション性に富む左右の膨出部２ｅ、２ｅとなっている。この膨出部２ｅ、２ｅの厚さは特に限定されないが、良好な靴擦れ防止効果が得られるように、２〜６ｍｍ程度の厚さに設定することが好ましい。
【００１８】
弾性パッド層２の裏面に形成される粘着層３は、ウレタン系、アクリル系その他の公知の粘着剤で形成された層であって、その厚さは特に限定されないが、靴の後端部内面に対する十分な粘着強度が得られるように０．１〜１ｍｍ程度の厚さとすることが好ましい。
【００１９】
粘着層３を被覆する剥離紙４は、剥離性に優れたフッ素系樹脂シートや、表面をフッ素系樹脂等で剥離処理した紙などからなるものであって、図２、図３に示すように、この剥離紙４の中央部付近には切取り部４ａが形成されている。この切取り部４ａは、剥離紙４の中央部付近に２本の縦方向の切取り線５、５を間隔をあけて並設することにより、この２本の切取り線５、５の間の領域を切取り部４ａとしたものであって、この実施形態では、切取り線５としてミシン目線を設けているが、切断線（直線状の切り目）や、切取りの容易なＶ溝線を設けてもよい。
【００２０】
この切取り部４ａは、必ずしも剥離紙４の中央部付近に形成する必要がなく、剥離紙４の切取りやすい適所に形成すればよいが、この実施形態のように剥離紙４の中央部付近に切取り部４ａを形成すると、切取り部４ａを切取って靴擦れ防止具１を靴の後端部内面に仮止めする際に、左右のバランスを保って靴擦れ防止具１の中央部付近を仮止めできるので、位置決めがし易くなる利点がある。
【００２１】
以上のような構成の靴擦れ防止具１は、図５に示すように靴６の後端部６ａの内面に貼付ける際、先ず、剥離紙４の切取り部４ａを２本の切取り線（ミシン目線）５、５に沿って切取ることにより、図４に示すように粘着層３の中央部付近３ａを露出させる。
【００２２】
そして、この露出させた粘着層３の中央部付近３ａを靴６の後端部６ａの内面に粘着させて靴擦れ防止具１を仮止めすると共に、靴擦れ防止具１の位置がずれないように正確に位置決めを行い、その状態で残りの剥離紙４を剥がして、図５に示すように靴擦れ防止具１の弾性パッド層２全体を粘着層３の粘着力で靴６の後端部６ａの内面に脱落しないように貼付ける。
【００２３】
このように貼付けると、弾性パッド層２の表面の柔軟な膨出部２ｅ、２ｅが足の踵の両側にソフトに接触してスペーサの役目を果たし、足の踵と靴６の後端部６ａの内面との直接的な擦れを防ぐため、優れた靴擦れ防止効果が発揮される。
【００２４】
本発明の靴擦れ防止具１は、上記のように位置決めが容易で取扱い性に優れ、貼付ける位置がずれることなく、弾性パッド層２の膨出部２ｅ、２ｅによって靴擦れを効果的に防止できるので、極めて有用なものである。
【符号の説明】
【００２５】
１    靴擦れ防止具
２    弾性パッド層
２ｅ  膨出部
３    粘着層
４    剥離紙
４ａ  切取り部
５    切取り線
６    靴
６ａ  靴の後端部
【図１】
0003176139.tif 000003
【図２】
0003176139.tif 000004
【図３】
0003176139.tif 000005
【図４】
0003176139.tif 000006
【図５】
0003176139.tif 000007